(57)【要約】【課題】同一のコネクタハウジングと同一の端子金具群を使用しながら、基板のどちら側の面に取り付けてもロック部材を一定の位置に配することが可能な基板用コネクタを提供する。【解決手段】回路基板Ｐに固定されるコネクタハウジング２０と、コネクタハウジング２０に設けられた端子挿入孔２６に屈曲状態に保持されている端子金具１０と、コネクタハウジング２０と嵌合される相手方コネクタハウジングと係合して互いのコネクタハウジングを嵌合状態に保持するロック爪２４とを備えて、コネクタハウジング２０の回路基板Ｐに接する基板取付面２２とそれとは反対側の補助基板取付部３０の面とが平行な形態をなす基板用コネクタであって、端子挿入孔２６は背面壁２３の中間に位置する対称軸Ｓに対して線対称となるように配置され、コネクタハウジング２０には回路基板Ｐに固定する取付部が設けられている。【選択図】図５
2011204370.tif 000002
【特許請求の範囲】
【請求項１】
基板に固定される合成樹脂製のコネクタハウジングと、前記コネクタハウジングの背面壁に設けられた端子挿入孔に圧入され前記基板側に屈曲状態となっていて前記基板に接続される端子金具とを備え、
前記コネクタハウジングには相手方コネクタハウジングが正規の挿入姿勢で嵌合された時に前記相手方コネクタハウジングと係合して互いのコネクタハウジングを嵌合状態に保持するロック部が設けられ、
前記コネクタハウジングの前記基板に接する一方の面と、それとは反対側の他方の面とが平行な形態に構成されている基板用コネクタであって、
前記端子挿入孔は前記背面壁において前記一方の面とその反対側の面との中間位置を対称軸として線対称となるように配置され、
前記コネクタハウジングには前記基板に固定するための取付部が前記一方の面と前記他方の面とに対応してそれぞれ設けられていることを特徴とする基板用コネクタ。
【請求項２】
前記取付部には前記基板に螺合して前記コネクタハウジングを固定する固定ネジ用の挿通孔が設けられていることを特徴とする請求項１記載の基板用コネクタ。
【請求項３】
前記取付部は前記コネクタハウジングと一体に形成され、
前記挿通孔は前記一方の面に対して直交する方向に前記一方の面から前記他方の面まで一続きに貫通して設けられていることを特徴とする請求項２記載の基板コネクタ。
【発明の詳細な説明】
【技術分野】
【０００１】
本発明は、基板に固定される基板用コネクタに関する。
【背景技術】
【０００２】
従来、回路基板上に固定される基板用コネクタとしては特許文献１に記載のものが公知である。この基板用コネクタは基板に固定される樹脂製のコネクタハウジングに基板側に屈曲させた複数の端子金具が多段数配置され、コネクタハウジングに設けられた取付部によって基板に固定される。また、基板側に屈曲された端子金具の一端は基板上のランドに半田付けされて電気的に接続され、他の一端は相手方コネクタの端子金具と接続される。そして、互いのコネクタが嵌合に至ったときには、両コネクタ間に設けられたロック部材によって互いのコネクタが嵌合保持される。
【先行技術文献】
【特許文献】
【０００３】
【特許文献１】特開平５−３２６０４９号公報
【発明の概要】
【発明が解決しようとする課題】
【０００４】
この種の基板用コネクタは上下を反転させることで基板の上面及び下面のどちらからでも取り付けは可能である。しかし、この基板用コネクタが基板の上面に取り付けられる場合と下面に取り付けられる場合とでは、基板用コネクタのロック部材はコネクタハウジングの開口部に対して逆の位置に配されることになる。その為、基板用コネクタに相手方コネクタを組み付ける作業者にとっては、基板用コネクタの取付位置によってロック部材の位置が異なり、相手方コネクタの挿入方向が異なることは混乱を招くと共に、コネクタの破損や作業効率を悪化させる問題となる。
【０００５】
この解決策としては基板への取付位置に合わせて二種類の基板用コネクタを製造することで、いずれの場合にもロック部材の位置が同じになるようにする方法が考えられるが、これには二種類のコネクタハウジングとそれぞれのコネクタハウジングに対応する端子金具群とを用意する必要があるため、生産コストが高くなると共に、生産効率が悪くなるといった問題がある。
【０００６】
本発明は上記のような事情に基づいて完成されたものであって、同一のコネクタハウジングと同一の端子金具群を使用しながら、基板のどちら側の面に取り付けてもロック部材を一定の位置に配することが可能な基板用コネクタを提供することを目的とする。
【課題を解決するための手段】
【０００７】
上記の目的を達成するための手段として本発明は、基板に固定される合成樹脂製のコネクタハウジングと、前記コネクタハウジングの背面壁に設けられた端子挿入孔に圧入され前記基板側に屈曲状態となっていて前記基板に接続される端子金具とを備え、前記コネクタハウジングには相手方コネクタハウジングが正規の挿入姿勢で嵌合された時に前記相手方コネクタハウジングのロック部と係合して互いのコネクタハウジングを嵌合状態に保持する被ロック部が設けられ、前記コネクタハウジングの前記基板に接する一方の面と、それとは反対側の他方の面とが平行な形態に構成されている基板用コネクタであって、前記端子挿入孔は前記背面壁において前記一方の面とその反対側の面との中間位置を対称軸として線対称となるように配置され、前記コネクタハウジングには前記基板に固定するための取付部が前記一方の面と前記他方の面とに対応してそれぞれ設けられているところに特徴を有する。
【０００８】
このような構成の基板用コネクタによると、基板の上面側に取り付けるときには基板に接する一方の面に設けられた取付部によって基板に固定し、基板の下面側に取り付けるときにはコネクタハウジングを反転させることなく他方の面に設けられた取付部によって基板に固定することができる。また、このとき、端子金具はコネクタハウジングの背面壁において各端子挿入孔が一方の面と他方の面との中間位置を対称軸として線対称となるように配置されており、一方の面と他方の面から各端子挿入孔までの高さ寸法は同一になることから、コネクタハウジングの取付方向に応じて端子金具の配置を変更することで基板側に屈曲された状態にすることができる。したがって、このような構成の基板用コネクタは被ロック部の位置を一定の方向に保ちながら基板の上下面に配設することができる。
【０００９】
本発明の実施の態様として、以下の構成が望ましい。  
前記取付部には前記基板に螺合して前記コネクタハウジングを固定する固定ネジ用の挿通孔が設けられている構成としてもよい。このような構成によると、固定ネジを用いることによって基板用コネクタを基板取付部に容易に固定することができる。
【００１０】
前記取付部は前記コネクタハウジングと一体に形成され、前記挿通孔は前記一方の面に対して直交する方向に前記一方の面から前記他方の面まで一続きに貫通して設けられている構成としてもよい。このような構成によると、挿通孔を有する取付部が分割された状態となっていないため、コネクタハウジングを成形金型によって射出成形する際に、挿通孔用のスライド金型を複数使用することなく成形することができる。
【発明の効果】
【００１１】
本発明によれば、同一のコネクタハウジングと同一の端子金具群を使用しながら、基板のどちら側の面に取り付けてもロック部材を一定の位置に配することが可能な基板用コネクタを提供することができる。
【図面の簡単な説明】
【００１２】
【図１】実施形態におけるコネクタハウジングに端子金具が圧入され基板側に屈曲状態となっている状態を示した斜視図
【図２】同側面図
【図３】同底面図
【図４】実施形態におけるコネクタハウジングを回路基板の上面側に配置した状態を示した背面図
【図５】図４のＩＶ−ＩＶ線断面図
【図６】図１のコネクタハウジングを反転させて端子金具を上下逆さまに配置変更した状態を示した斜視図
【図７】同側面図
【図８】同平面図
【図９】実施形態におけるコネクタハウジングを回路基板の下面側に配置した状態を示した背面図
【図１０】図９のＸ−Ｘ線断面図
【発明を実施するための形態】
【００１３】
＜実施形態＞
本発明の一実施形態を図１乃至図１０を参照して説明する。  
本実施形態の基板用コネクタは、基板に相当する回路基板Ｐに固定される合成樹脂製のコネクタハウジング２０と、コネクタハウジング２０に圧入され回路基板Ｐ側に屈曲している端子金具１０とから構成される。  
コネクタハウジング２０は、図１乃至図５に示すように、外観が略直方体の箱形状をなしており、図示しない相手方コネクタを収容して嵌合するフード部２１を有している。
【００１４】
このコネクタハウジング２０は、図４及び図５に示すようにフード部２１の外面に設けられた基板取付面２２を回路基板Ｐの表面に沿わせた姿勢で、回路基板Ｐの上面に配置されて固定される。
【００１５】
フード部２１は横長の略角筒状をなし、フード部２１の最深部となるコネクタハウジング２０の背面壁２３は矩形状をなしている。  
フード部２１の内部には開口部よりもやや背面壁２３寄りの基板取付面２２側の内面に図示しない相手方コネクタと嵌合したときに嵌合状態を保持するロック部に相当するロック爪２４が設けられ、そのロック爪２４の両脇にはフード部２１の開口部からフード部２１の背面壁２３まで嵌合方向に真っ直ぐに延びて図示しない相手方コネクタをフード部２１内に案内する位置決めリブ２５が設けられている。  
フード部２１にはその背面壁２３に端子金具１０を挿入する端子挿入孔２６が設けられており、この端子挿入孔２６はコネクタハウジング２０の厚さ方向に二段、幅方向に四列、等間隔に配されている。
【００１６】
端子挿入孔２６はその開口部が扁平な矩形状をなしており、フード部２１内の開口縁部にはフード部２１側に向かって拡幅する形状の誘い込み面２７が設けられている。  
端子挿入孔２６にはプレスによって打ち抜き形成した所定の長さ寸法の角形断面をなす端子金具１０が圧入されており、端子金具１０は背面壁２３を貫通した状態に保持されている。  
この端子金具１０は背面壁２３からフード部２１内に突出した部分が図示しない相手方コネクタの端子金具１０と接続され、背面壁２３からコネクタハウジング２０の外側に突出した部分が回路基板Ｐ側に向かって略Ｌ字状に屈曲された形状をなし、その先端部は回路基板Ｐの図示しないランドに半田付けによって接続される。そして、図１及び図５に示すように、上下二段になった端子金具１０は回路基板Ｐ側に屈曲させた時に互いに接触しないように長さが異なるように形成されており、基板取付面２２から近い位置の端子挿入孔２６Ａに圧入された端子金具１０Ａが基板取付面２２から離れた位置の端子挿入孔２６Ｂに圧入された端子金具１０Ｂよりも短く設定されている。
【００１７】
さて、コネクタハウジング２０の短手方向の側面には、図１及び図４に示すように、背面壁２３の両側の位置に回路基板Ｐに固定する取付部２８がコネクタハウジング２０の厚み方向に延びた形態に一体形成され、コネクタハウジング２０を回路基板Ｐに固定するときには回路基板Ｐと接するように設定されている。  
この取付部２８は図４に示すように、回路基板Ｐ側に配置されて基板取付面２２と面一に設定される基板取付部２９と基板取付面２２とは反対側に位置するコネクタハウジング２０の外面から突出する補助基板取付部３０とから構成されている。
【００１８】
基板取付部２９はその一面が基板取付面２２と一体に形成されて基板取付面２２の両側から突出した形状となっており、基板取付面２２が回路基板Ｐに接するようにコネクタハウジング２０を配置したときに回路基板Ｐと接するように構成されている。  
補助基板取付部３０はコネクタハウジング２０の側面から両側に突出した形状をなし、フード部２１側に位置する面の中央寄りの一端はコネクタハウジング２０の側面に沿ってやや延びた形態に形成されている。そして、補助基板取付部３０は基板取付面２２の反対側の面が回路基板Ｐ側となるようにコネクタハウジング２０を配置したときに回路基板Ｐと接するように構成され、回路基板Ｐと接する位置には補助基板取付面３０Ａが設けられている。
【００１９】
また、取付部２８には回路基板Ｐに固定するための図示しない固定ネジ用の挿通孔３１が基板取付面２２に対して直交する形態に形成されており、この挿通孔３１は基板取付部２９の基板取付面２２と面一となる面から補助基板取付部３０の補助基板取付面３０Ａまでコネクタハウジング２０の厚み方向に一続きに貫通している。
【００２０】
これにより、コネクタハウジング２０を回路基板Ｐに固定する場合には、基板取付部２９と補助基板取付部３０のどちらを回路基板Ｐ側に配置したとしても図示しない固定ネジを挿通孔３１に挿通させてコネクタハウジング２０を回路基板Ｐに固定することができる。尚、取付部２８に設けられた挿通孔３１は基板取付部２９から補助基板取付部３０まで一続きに貫通していることから、コネクタハウジング２０を成形金型において射出成型する際に複数のスライド金型を用いることなく、一つのスライド金型で挿通孔を成型することができる。
【００２１】
また、図５に示すように端子挿入孔２６は背面壁２３において基板取付面２２と補助基板取付面３０Ａとの中間位置（それぞれの面からの長さを例えばＺに設定）を対称軸Ｓとして線対称となるように配置されており、基板取付面２２側に位置する端子挿入孔２６Ａの対称軸までの長さＹ１は、補助基板取付部３０側に位置する端子挿入孔２６Ｂの対称軸までの長さＹ２と等しくなるように設定さている。
【００２２】
すなわち、端子挿入孔２６Ａに挿入された端子金具１０Ａと、端子挿入孔２６Ｂに挿入された端子金具１０Ｂとは対称軸Ｓまでの長さが等しくなり（Ｙ１＝Ｙ２）、且つ、端子挿入孔２６Ａに挿入された端子金具１０Ａの基板取付面２２までの長さＹ３と端子挿入孔２６Ｂに挿入された端子金具１０Ｂの補助基板取付面３０Ａまでの長さＹ４も等しくなっている。
【００２３】
続いて、本実施形態の回路基板Ｐへの配置設定とその作用効果について説明する。  
まず、図４及び５に示すように回路基板Ｐの上面側に本実施形態の基板用コネクタを配置する場合には、コネクタハウジング２０の基板取付面２２から近くに位置する端子挿入孔２６Ａに端子金具１０Ｂよりも短い端子金具１０Ａを、基板取付面２２から遠くに位置する端子挿入孔２６Ｂに端子金具１０Ｂを配置して、すべての端子金具１０を基板取付面２２側に屈曲させた状態に構成し、コネクタハウジング２０の基板取付面２２が回路基板Ｐに接するように配置する。そして、図示しない固定ネジを補助基板取付部３０に開口する挿通孔３１より挿入して回路基板Ｐに螺合させて基板用コネクタを固定する。
【００２４】
このように回路基板Ｐの上面側に固定された基板用コネクタは、図示しない相手方コネクタとの嵌合状態を保持するロック爪２４がフード部２１の底面側に配されており、作業者が回路基板Ｐに固定された本実施形態の基板用コネクタに相手方コネクタを嵌合させるときにはロック爪２４に係合される相手方コネクタのロック部を下方向に配して嵌合させる。
【００２５】
一方、図９及び１０に示すように回路基板Ｐの下面側に本実施形態の基板用コネクタを配置する場合には、コネクタハウジング２０の基板取付面２２から遠くに位置する端子挿入孔２６Ｂに端子金具１０Ａを、基板取付面２２から近く位置する端子挿入孔２６Ｂに端子金具１０Ｂを配置して、すべての端子金具を補助基板取付部３０側に屈曲させた状態（図６乃至図８参照）に構成し、補助基板取付部３０の補助基板取付面３０Ａを回路基板Ｐに接するように配置する。そして、図示しない固定ネジを基板取付部３０に開口する挿通孔から挿入して、回路基板Ｐに基板用コネクタを固定する。ここで、補助基板取付面３０Ａと端子金具１０Ａとの長さＹ４は、上面側に取り付ける際に構成したときの基板取付面２２と端子金具１０Ａとの長さＹ３（図５を参照）と等しいことから、基板用コネクタの回路基板Ｐへの取り付けは何等問題ない。
【００２６】
このように本実施形態の基板用コネクタは回路基板Ｐの下面側に固定する場合は、端子金具１０の配置を上面側に取り付けたときとは上下逆さまに配置すると共に、端子金具１０の屈曲方向も上下逆さまにすることで補助基板取付部３０を回路基板Ｐに設置して固定することができ、回路基板Ｐの下面側に固定された場合においても上面側に取り付けた場合と同じようにロック爪２４をフード部２１の底面側に配することができる。  
すなわち、本実施形態によれば、二種類の基板用コネクタを製造することなく、回路基板のどちら側の面に取り付けてもロック部材を一定の位置に配して固定することが可能となる。
【００２７】
そして、作業者は回路基板の上下どちらの面に取り付けられた基板用コネクタに対しても、所定の挿入方向にて嵌合作業を実施することができ、作業者が嵌合作業の時にいちいち嵌合方向を確認するといった煩雑な作業を不要とすることができる。
【００２８】
＜他の実施形態＞
本発明は上記記述及び図面によって説明した実施形態に限定されるものではなく、例えば次のような実施形態も本発明の技術的範囲に含まれる。  
（１）上記実施形態では、補助基板取付部をコネクタハウジングの外面から突出した形態に構成したが、本発明はこのような態様に制限されるものではなく、補助基板取付部はコネクタハウジングの外面と一体に形成されてもよい。  
（２）上記実施形態では、端子挿入孔を上下二段、幅方向に四列の構成としたが、本発明はこのような態様に制限されるものではなく、端子挿入孔は背面壁において対称軸Ｓに対して線対称に配置されていればよく、例えば上下三段（中段の端子挿入孔は対称軸Ｓに沿って配置）、幅方向五列の構成としてもよい。  
（３）上記実施形態では、図示しない相手方コネクタとの嵌合保持用のロック部材をフード部の基板取付面側に設けた構成としたが、本発明はこのような態様に制限されるものではなく、ロック部材は例えばフード部の側方側に設けた構成としてもよい。
【符号の説明】
【００２９】
１０：端子金具
２０：コネクタハウジング
２３：背面壁
２４：ロック爪（ロック部）
２６：端子挿入孔
２８：取付部
３１：挿通孔
Ｐ：回路基板
Ｓ：対称軸
【図１】
2011204370.tif 000003
【図２】
2011204370.tif 000004
【図３】
2011204370.tif 000005
【図４】
2011204370.tif 000006
【図５】
2011204370.tif 000007
【図６】
2011204370.tif 000008
【図７】
2011204370.tif 000009
【図８】
2011204370.tif 000010
【図９】
2011204370.tif 000011
【図１０】
2011204370.tif 000012